(57)【要約】【課題】本発明は、簡単な構造で、ホーリーファイバを密着した状態で保持し、さらに簡便に装着、着脱ができ、光学安定性に優れた接続を可能とする光学接続構造を提供する。【解決手段】本発明の光学接続構造は、互いに対向するホーリーファイバの端面間、またはホーリーファイバの端部と他の光伝送媒体の端部もしくは光学部品との間に、屈折率整合性を有する固形の粘着性接続部材が単一層として介在する。固形の粘着性接続部材は、シリコーン樹脂またはアクリル樹脂からなるのが好ましい。【選択図】図１
2006221031.tif 000002
【特許請求の範囲】
【請求項１】
互いに対向するホーリーファイバの端面間、またはホーリーファイバの端面と他の光伝送媒体の端面もしくは光学部品との間に、屈折率整合性を有する固形の粘着性接続部材が単一層の状態で密着して介在することを特徴とする光学接続構造。
【請求項２】
互いに対向するホーリーファイバの端面間、またはホーリーファイバの端面と光伝送媒体の端面もしくは光学部品との間に介在する前記粘着性接続部材の厚みが、５０μｍ以下であることを特徴とする請求項１記載の光学接続構造。
【請求項３】
前記粘着性接続部材の粘着保持距離が１０μｍ以上であることを特徴とする請求項１〜２のいずれか１項に記載の光学接続構造。
【請求項４】
前記粘着性接続部材が、シリコーン樹脂またはアクリル樹脂からなることを特徴とする請求項１〜３のいずれか１項に記載の光学接続構造。
【請求項５】
前記粘着性接続部材がシート状粘着材よりなることを特徴とする請求項１〜４のいずれか１項に記載の光学接続構造。
【請求項６】
前記シート状粘着性接続部材と接触する前記ホーリーファイバの端面の中心から該粘着性接続部材の周縁部までの距離の最小値Ｄと、該ホーリーファイバの半径Ｒとが、
Ｒ＜Ｄ≦６０Ｒ
の関係を満たすことを特徴とする請求項１〜５のいずれか１項に記載の光学接続構造。
【請求項７】
前記シート状粘着性接続部材の周縁部が支持部材によって支持されていることを特徴とする請求項５または６記載の光学接続構造。
【請求項８】
前記ホーリーファイバが、整列部材を用いて突き合わされている請求項１〜７のいずれか１項に記載の光学接続構造。
【請求項９】
前記整列部材を用いて突き合わされたホーリーファイバを押える押え部材が具備されていることを特徴とする請求項８記載の光学接続構造。
【請求項１０】
前記ホーリーファイバが、少なくとも一つのホーリーファイバ整列孔を有するフェルールまたは該フェルールを含むプラグの該ホーリーファイバ整列孔に挿入して固定されたものであって、一対の前記フェルールまたは一対の前記プラグが粘着性接続部材を挟んで突き合わされていることを特徴とする請求項１記載の光学接続構造。
【請求項１１】
前記フェルール同士または前記プラグ同士を位置合わせするための部材が具備されていることを特徴とする請求項１０記載の光学接続構造。
【請求項１２】
前記粘着性接続部材が支持部材によって支持されていることを特徴とする請求項１０に記載の光学接続構造。
【請求項１３】
前記フェルールまたはプラグがアダプタに装着され、該フェルール同士またはプラグ同士がアダプタ内部で粘着性接続部材を挟んで突き合わされていることを特徴とする請求項１０に記載の光学接続構造。
【請求項１４】
前記位置合わせするための部材が割スリーブであり、該割スリーブ内でフェルール同士またはプラグ同士が前記粘着性接続部材を挟んで突き合わされていることを特徴とする請求項１１記載の光学接続構造。
【請求項１５】
粘着性接続部材を支持している支持部材が前記割スリーブ内に装着されていることを特徴とする請求項１３または１４に記載の光学接続構造。
【発明の詳細な説明】
【技術分野】
【０００１】
本発明は、ホーリーファイバ同士、またはホーリーファイバと他の光伝送媒体または光学部品とを接続した光学接続構造に関する。
【背景技術】
【０００２】
光ファイバは、成長を続けるＩＴ社会を支えるインフラの構成要素として汎用的に使われており、基幹系ネットワークのみならずアクセス系ネットワークへとその適用範囲が拡大している。しかしながら、石英系ガラスに添加物を加えて導波路構造を形成する従来の光ファイバでは、光学特性上、現行の波長域での光通信の大容量化が極限状態にあり、曲げ損失や接続損失の問題など、配線工事時における扱いにくさにつながる課題も指摘されていた。    
そこで、近年、ホーリーファイバ、あるいはフォトニック結晶ファイバと称される光ファイバが注目されている（特許文献1）。ホーリーファイバは、ガラス組成の違いにより比屈折率差をもたせた従来の光ファイバのクラッドとコアの境界近傍に孔を形成し、クラッドの実効的な屈折率を低下させ、コア／クラッド間の比屈折率差を拡大することにより、従来得られなかった特性、例えば広帯域での異常分散、大きな構造分散等の特性を実現することができるという利点がある。さらにホーリーファイバは、従来の光ファイバと比較して、曲げ損失特性を大幅に向上させることができる。その結果、配線工事時の“扱い易さ”が格段に向上し、特別な配線工事が不要となり、よりフレキシブルな布設・配線が可能となる。したがって、ホーリーファイバあるいはフォトニック結晶ファイバをアクセス系ネットワークに導入することが検討されている。
【０００３】
前記ホーリーファイバ同士、あるいはホーリーファイバと従来の光ファイバを接続させる接続方法としては、ホーリーファイバ同士、あるいはホーリーファイバを挿入したフェルール同士を突き合わせることにより、物理的に接続する方法が一般的によく用いられている。その場合の例として、メカニカルスプライス、光コネクタ等が挙げられるが、一般に永久接続する場合は、メカニカルスプライスが、また着脱が頻繁に行われる場合には光コネクタが有効である。両者共にホーリーファイバ端面に軸方向の押圧力をかけることによって物理的な接続をさせるが、光コネクタ接続の場合は、一般的にはホーリーファイバがもろくて弱いために、ホーリーファイバをフェルールに挿入して保護し、それによりホーリーファイバの端面の物理的接触を可能にしている。
【０００４】
この物理的な接続において、ホーリーファイバの位置決め精度や端面形状は接続特性に大きく影響する。例えば、端面の角度のずれや端面形状が荒れていたりすると、突き合わせたホーリーファイバ端部間に空気が入ることにより接続端面でフレネル反射が大きくなるため、接続損失が大きくなるという問題がある。
【０００５】
これを改良する方法として、これまで様々な研究がなされている。その一つとして、例えばホーリーファイバの端面あるいはホーリーファイバの端面とフェルールを高度に研磨処理をする方法が挙げられる。しかしながら、研磨処理には多大な時間と経費が必要であり、汎用的に行われる接続方法としては問題があり、その改善が大きな課題となっている。
【０００６】
さらに研磨工程を設けずに、カットしたままの状態でホーリーファイバを接続する方法が検討されている。その一つとして、ホーリーファイバの接続端面にホーリーファイバのコアと同等あるいは近似した屈折率を有する液状またはグリース状の屈折率整合剤を塗布し、ホーリーファイバ同士を突き合せる方法が試みられている。この方法によって接続端面への空気の進入を防ぎ、空気によって生じるフレネル反射を回避し、接続損失を低減する。しかしながら、ホーリーファイバはクラッドのコアの境界近傍に孔を形成しているため、液状の屈折率整合剤を塗布すると、毛細管現象により前記の孔に屈折率整合剤が流入し、これにより光学的な安定性を得ることが困難となり、またホーリーファイバの劣化が起きるという問題があった。
【０００７】
これに対し、固体の屈折率整合部材を用いる方法が知られている。例えば、ホーリーファイバの端面に透明な屈折率整合フィルムを接着層または粘着剤層を介さずに直接密着するように取り付けた構造のもの（特許文献２）、または、ホーリーファイバのコアの接続端部にコアの屈折率と近似した屈折率を有する柔軟な光透過体または弾性体を介在させた構造のもの（特許文献３及び４）が知られている。しかしながら、前者は、屈折率整合フィルムに密着させるためのホーリーファイバの押圧力の制御が難しく、過剰な押圧力がかかるとホーリーファイバに割れや欠けが起こる可能性がある。後者においても弾性体の弾性力のみでは、十分な密着性を得ることができず、結果的に過剰な押圧力がかかる恐れがあった。更に両者は、ホーリーファイバを接続した時の固定状態が維持されないため、屈折率整合部材の機械的あるいは熱的な要因による膨張、収縮により、それらの影響を受けやすく、常に安定した接続状態を保つことは困難であった。
【特許文献１】特開２００４−２２６５３９号公報
【特許文献２】特許第２６７６７０５号公報
【特許文献３】特開２００１−３２４６４１号公報
【特許文献４】特開平０５−３４５３２号公報
【発明の開示】
【発明が解決しようとする課題】
【０００８】
以上のごとく、現状のホーリーファイバに押圧をかけてホーリーファイバ端面同士を突き当て接続する方法及び屈折率整合剤を用いる方法においては、上記のような問題が発生している。これらの問題を解決すべく、様々な提案がなされているが、本発明は、これら従来の提案よりも簡単な構造で、ホーリーファイバを密着した状態で保持し、さらに簡便に装着、着脱ができ、光学安定性に優れた接続を可能とする光学接続構造を提供することを目的とする。
【課題を解決するための手段】
【０００９】
本発明者等は、検討の結果、固形の粘着性接続部材を用いることにより、ホーリーファイバ同士、またはホーリーファイバと他の光伝送媒体あるいはホーリーファイバと光学部品との光学接続を非常に簡単に行うことができることを見出し、本発明を完成するに至った。
【００１０】
すなわち、本発明の光学接続構造は、互いに対向するホーリーファイバの端面間、またはホーリーファイバの端面と他の光伝送媒体の端面または光学部品との間に、屈折率整合性を有する固形の粘着性接続部材が単一層の状態で密着して介在することを特徴とする。
【００１１】
なお、本発明において、用語「固形の粘着性接続部材」とは、常温において、静的な状態で流動せずに所定の形状を保持する粘着性接続部材を意味する。また、ホーリーファイバとは、「コア部」と「クラッド部」で構成された光ファイバのクラッド部に空孔を有している光ファイバのすべてを含む。
【００１２】
本発明において、粘着性接続部材の接続部における接続後の厚み、すなわち、互いに対向するホーリーファイバの端面間、またはホーリーファイバの端面と他の光伝送媒体の端面もしくは光学部品との間に介在する粘着性接続部材の厚みが、５０μｍ以下であることが好ましい。また、上記粘着性接続部材の粘着保持距離が１０μｍ以上であることが好ましい。また、上記粘着性接続部材は、シリコーン樹脂またはアクリル樹脂から構成されるのが好ましい。また、前記粘着性接続部材はシート状粘着材であってもよい。
【００１３】
本発明においては、前記ホーリーファイバが前記粘着性接続部材と接触する端面の中心から該粘着性接続部材の周縁部までの距離の最小値Ｄと、該ホーリーファイバの半径Ｒとが、
Ｒ＜Ｄ≦６０Ｒ
の関係を満たすことが好ましい。また、前記粘着性接続部材は、その周縁部が支持部材によって支持されていてもよい。
【００１４】
また、本発明の光学接続構造においては、前記ホーリーファイバが、整列部材を用いて突き合わされていてもよく、その場合、突き合わされたホーリーファイバを押える押え部材が具備されていてもよい。
【００１５】
本発明の光学接続構造の他の具体的な態様において、光学接続構造は、少なくとも一つのホーリーファイバ整列孔を有し、該ホーリーファイバ整列孔内にホーリーファイバを固定した一対のフェルール同士を、または、該フェルールを含む一対のプラグ同士を、屈折率整合性を有する固形の粘着性接続部材を挟んで突き合わせて光学接続したものであって、該粘着性接続部材として、単一層からなるシート状粘着材を用いたことを特徴とする。
【００１６】
この場合、前記フェルール同士または前記プラグ同士を位置合わせするための部材が具備されていてもよい。また、前記位置合わせをするための部材が割スリーブであり、その割スリーブ内でフェルール同士またはプラグ同士が前記粘着性接続部材を挟んで突合わされていてもよい。
【００１７】
また、上記光学接続構造において、位置合わせをするための部材がガイドピンであり、前記フェルールまたはプラグがガイドピン孔を有し、相対するガイドピン孔にガイドピンを挿入することによってフェルールまたはプラグの位置合わせが行われたものであってもよい。
【００１８】
また、本発明の上記光学接続構造においては、前記フェルールまたはプラグがアダプタに装着され、前記固形の粘着性接続部材がアダプタ内部に保持されており、そしてフェルール同士またはプラグ同士がアダプタ内部で粘着性接続部材を挟んで突き合わされて光学接続していてもよい。その場合、粘着性接続部材が単独でアダプタに保持されていてもよく、あるいは粘着性接続部材が支持部材に支持された状態でアダプタに保持されていてもよい。
【００１９】
本発明の上記光学接続構造においては、粘着性接続部材が支持部材によって支持されていてもよく、そして、粘着性接続部材を支持している前記支持部材は割スリーブ内に装着されていてもよい。また、粘着性接続部材を支持している支持部材は、筒状部材からなり、該筒状部材の一端に粘着性接続部材が支持され、筒状部材の他端が前記フェルールまたはアダプタに嵌合するものであってもよい。
【００２０】
本発明の光学接続構造のさらに他の具体的態様において、光学接続構造は、少なくとも一対の光伝送媒体と、整列溝を有する整列部材と、屈折率整合性を有する自由に変形する固形の粘着性接続部材と、該粘着性接続部材を支持する支持部材とを備えたものであって、前記整列部材の整列溝内に少なくとも一対の光伝送媒体の端面を対向して載置させ、前記光伝送媒体間の整列溝上部に支持部材を載置させて、粘着性接続部材を挟んで少なくとも一対の光伝送媒体が光学接続されていてもよい。
【００２１】
上記の光学接続構造において、前記整列部材には、整列溝に交差する方向に、支持部材を載置するための溝が設けられていてもよい。また、上記の光学接続構造において、支持部材が少なくとも一つの突起部を有し、そして整列部材が少なくとも一つの孔を有していてもよい。その場合、整列部材の孔に支持部材の突起部を挿入して固定し、支持部材を整列溝上部に載置することができる。
【００２２】
本発明の光学接続構造において、シート状粘着性接続部材を用いる場合、例えば、次の工程によって製造することができる。互いに対向するホーリーファイバの端面間、またはホーリーファイバの端面と他の光伝送媒体の端面または光学部品との間にシート状粘着性接続部材を配置する工程と、一方の光伝送媒体の端面をシート状粘着性接続部材に密着するまで移動する工程と、該一方の光伝送媒体の端面を、前記シート状粘着性接続部材が変形を伴って他方の該光伝送媒体または光学部品に密着するまでさらに移動させる工程とによって製造することができる。
【００２３】
また、他の方法として、ホーリーファイバの端面をシート状粘着性接続部材に押し当てて密着させたまま、シート状粘着性接続部材をホーリーファイバに対してホーリーファイバの軸方向に相対的に移動させることにより、シート状粘着性接続部材の一部を端面に付着した状態で切り離す工程、および端面に固形の粘着性接続部材が付着したホーリーファイバを、他のホーリーファイバ、光伝送媒体または光学部品と接合する工程によって製造することができる。この場合、シート状粘着性接続部材が端面処理部材に支持されていてもよい。また、前記端面処理部材はホーリーファイバを挿入するための貫通孔を有し、端面処理部材の一端にシート状粘着性接続部材が貫通孔を塞ぐように貼着されていてもよい。
【００２４】
上記の光学接続方法について、更に具体的に説明する。まず、ホーリーファイバの端部が上記のシート状粘着性接続部材に密着するまで、ホーリーファイバをシート状粘着性接続部材に対して相対的に移動させる。次にホーリーファイバを、さらに軸方向に移動させることにより、シート状粘着性接続部材の一部がホーリーファイバの端面に貼着した状態で切り離され、ホーリーファイバ端面に粘着性接続部材が貼着して、ホーリーファイバの端面処理が行なわれる。この方法の場合は、ホーリーファイバの移動だけで容易にホーリーファイバ端部に粘着性接続部材を貼着させることができ、複雑な装置や高額な設備を用いる必要がない。続いて、この端面処理されたホーリーファイバを、他のホーリーファイバ、他の光伝送媒体または光学部品と突き合わせて光学接合し、本発明の光学接続構造が作製される。
【００２５】
なお、本明細書において、「シート状粘着性接続部材を光伝送媒体に対して光伝送媒体の軸方向に相対的に移動させる」とは、粘着性接続部材およびホーリーファイバのいずれを移動してもよいことを意味する。また、その移動速度や移動距離は適宜選択して用いればよい。
【００２６】
本発明の光学接続構造において、屈折率整合性を有する自由に変形する固形の粘着性接続部材を用いる場合、整列溝を有する整列部材と、固形の粘着性接続部材を支持する支持部材とを用い、次の工程によって製造することができる。前記整列部材の整列溝内に少なくとも一対の光伝送媒体の端面を対向して載置させる工程と、対向する光伝送媒体の間の整列溝の上に自由に変形する固形の粘着性接続部材を支持した支持部材を載置させる工程と、対向する光伝送媒体を前記粘着性接続部材を挟んで突合せて光学接続する工程とによって製造することができる。
【００２７】
本発明において、ホーリーファイバとしては、例えば空孔アシスト型（高屈折率コア、数個の空孔）、フォトニック結晶型（石英ガラスコア、数十個の空孔）、フォトニックバンドキャップ型（中空コア、数十個の空孔）などが挙げられるが、その種類に関しては特に限定されるものではない。また、本発明におけるホーリーファイバの空孔の大きさ、数、間隔、配列は、曲げ特性や偏波保持特性の仕様によって、適宜選択することができる。また、ホーリーファイバは、石英、プラスチック等、如何なる材料で作製されたものであってもよい。
【００２８】
本発明で用いられる他の光伝送媒体としては、上記したホーリーファイバ以外の光ファイバのほかに光導波路などがあげられるが、その種類は特に限定されず、光を伝送するものであれば如何なるものでもよい。また、光ファイバも何等限定されるものではなく、その用途に応じて適宜選択すればよい。例えば、石英、プラスチック等の材料からなる光ファイバを用いることができる。また、光導波路としては、ポリイミド光導波路、ＰＭＭＡ光導波路、エポキシ光導波路などが利用される。
【００２９】
さらに、使用する二つのホーリーファイバの種類が異なっていても固形の粘着性接続部材の濡れ性により密着するので、安定して接続させることが可能である。また、異なる外径のホーリーファイバや光伝送媒体であっても、コア径が同じであれば、本発明を適用することができる。なお、ホーリーファイバの本数、光導波路の枚数も何等限定されるものではなく、複数本のホーリーファイバよりなるホーリーファイバテープ心線を用いることもできる。
【００３０】
本発明においてホーリーファイバと光学接続される光学部品としては、光学レンズ、フィルタなどがあげられ、その種類に関しては特に限定されるものではない。光学レンズは、例えば両凸、両凹、凹凸、平凸、非球面等の各種形状を有するものや、コリメートレンズ、ロッドレンズなどがあげられ、フィルタとしては、例えば一般光通信用フィルタのほか、多層膜フィルタやポリイミドフィルタ等があげられる。
【００３１】
本発明に用いる固形の粘着性接続部材は、ホーリーファイバ、光伝送媒体または光学部品に接触したときに、適度なタック性を伴って、ホーリーファイバの端部に密着する部材であればよい。好ましくは、ホーリーファイバとの間で脱着性を有し、凝集破壊せず、取り外したホーリーファイバに付着しない粘着性材料が使用される。具体的には、高分子材料、例えばアクリル系、エポキシ系、ビニル系、シリコーン系、ゴム系、ウレタン系、メタクリル系、ナイロン系、ビスフェノール系、ジオール系、ポリイミド系、フッ素化エポキシ系、フッ素化アクリル系等の各種粘着材を使用することができる。それらの中でも、耐環境性、接着性、その他の面から、シリコーン系およびアクリル系粘着材が特に好ましく使用される。なお、材料によっては多孔構造となることもあるが、接続時に粘着性接続部材に適当な押圧力を加えることにより、粘着性接続部材を圧縮すれば、空気をなくすこともでき、光損失に影響を与えない。
【００３２】
本発明に用いるシリコーン系粘着材とは、主鎖の骨格がＳｉ−Ｏ−Ｓｉ結合（シロキサン結合）からなる粘着材を意味し、シリコーンゴムまたはシリコーンレジンで構成される。それらは、有機溶剤の溶解した状態で塗布して固化または成膜される。シリコーンゴムの主ポリマーは、直鎖状のポリジメチルシロキサンであって、メチル基の一部をフェニル基やビニル基に置換したものも含まれる。また、シリコーンレジンは複雑な三次元構造を持った分子量３０００〜１万程度のものが使用され、ゴム系粘着材における接着付与樹脂の役目をする。なお、シリコーン系粘着材には、架橋剤、軟化剤、粘着調整剤、その他の添加剤を添加して、接着力、濡れ性を調節したり、耐水性、耐熱性を付与してもよい。
【００３３】
シリコーン系粘着材は、耐熱保持力が優れ、高温、低温環境下でも接着力が優れていると言う特徴を有している。そのためシリコーン系粘着材を二つのホーリーファイバの間またはホーリーファイバと他の光伝送媒体もしくは光学部品との間に介在させた光学接続構造においては、高温環境下（〜２５０℃）、或いは低温環境下（〜−５０℃）においても接続部の密着が維持され、常に安定した接続状態を保つことができる。また、高温を履歴した後でも硬化したり黄変したりせず、被着体より良好に剥離することができる。また、シリコーン系粘着材は、電気絶縁性、耐薬品性、耐候性、耐水性に優れており、広範囲な材料、例えば、クラッド層がフッ素樹脂でコーティングされたホーリーファイバ等に対しても密着させることができる。また、光導波路や光学部品についても、フッ素ポリイミド等のフッ素樹脂ベースのものに対しても粘着性を示すので、有効に使用することができる。
【００３４】
本発明に用いるアクリル系粘着材とは、その基本構造がアクリル酸の炭素数２〜１２のアルキルエステルまたはメタクリル酸の炭素数４〜１２のアルキルエステルを主モノマーとして構成されたポリマーを意味する。具体的には、例えば、エチルアクリレート、ｎ−ブチルアクリレート、イソブチルアクリレート、２−エチルヘキシルアクリレート、ラウリルアクリレート、ベンジルアクリレート等のアクリル酸のアルキルエステル類、ｎ−ブチルメタクリレート、イソブチルメタクリレート、２−エチルヘキシルメタクリレート、ラウリルメタクリレート、ベンジルメタクリレート等のメタクリル酸のアルキルエステル類等があげられる。また、これらの主モノマーと共重合するモノマーとしては、メチルアクリレート、メチルメタクリレート、エチルメタクリレート、プロピルメタクリレート、酢酸ビニル、アクリロニトリル、メタクリロニトリル、アクリルアミド、スチレン等があげられる。
【００３５】
また、ホーリーファイバに密着させるために必要な凝集力を与えるために、アクリル系粘着材には架橋構造を持たせることができる。そのためには、アクリル酸、メタクリル酸ヒドロキシエチル、グリシジルメタクリレート等の官能基を有するモノマーを少量共重合させればよい。これらの組成と比率を調整することによって、粘着性、凝集性、タック性などの物性を容易に変化させることができる。官能基を有するモノマーの具体例としては、アクリル酸、メタクリル酸等のモノカルボン酸、マレイン酸、フマール酸、シトラコン酸、グルタコン酸、イタコン酸等の多価カルボン酸、およびこれらの酸無水物等のカルボキシル基含有モノマー、２−ヒドロキシプロピル（メタ）アクリレート、３−クロロ−２−ヒドロキシプロピル（メタ）アクリレート、ジエチレングリコールモノ（メタ）アクリレート、Ｎ−メチロールアクリルアミド、Ｎ−メチロールメタクリルアミド等のヒドロキシル基含有モノマー、ジメチルアミノエチルメタクリレート、ｔ−ブチルアミノエチルメタクリレート、アクリルアミド等のアミノ基含有モノマー等があげられる。
【００３６】
アクリル系粘着材には、製造時に溶媒として水を用いるエマルジョン系粘着材と、有機溶剤を用いるソルベント系粘着材とがあるが、本発明においては、ソルベント系粘着材を用いるのが好ましい。ソルベント系粘着材は耐水性に優れ、透明な粘着材被膜が形成されるからである。ソルベント系粘着材は、例えば、トルエン、キシレン等の芳香族炭化水素類、酢酸エチル、酢酸ブチル等のエステル類、メチルエチルケトン、メチルイソブチルケトン、シクロヘキサン等のケトン類等の有機溶剤中でモノマーをラジカル重合させたり、または乳化剤の存在下でモノマーの乳化水分散体を乳化重合させたりすることによって合成される。
【００３７】
光学接続部品は、光が接続部を通過することが重要であるので、アクリル系粘着材は透明性に優れた材料であることが必要であり、使用する波長、すなわち、可視光および近赤外領域における光透過率が８５％以上であることが好ましい。アクリル系粘着材は、架橋剤や硬化剤を調整することによって、比較的容易に透明性を出すことができる材料である。より好ましくは、使用する波長における光透過率が９０％以上のものである。
【００３８】
アクリル系粘着材は、ガラスやプラスチック等に対して良好に密着するとともに、耐水性、耐薬品性にも優れている。これを二つの光伝送媒体の間または光伝送媒体と光学部品の間に介在させた光学接続構造においては、接続部の密着を保持し、常に安定した接続状態を保つことができる。また、０℃〜８０℃の温度範囲で優れた接着力を有するため、通常の外気温環境下で問題なく使用できる。また、耐候性にも優れており、ゴム系の粘着材に発生し易い紫外線劣化が起こりがたいために、使用中に硬化したり黄変したりすることがなく、被着体から良好に剥離することができる。さらに、安価であるという利点も有している。
【００３９】
本発明において使用する固形の粘着性接続部材は、上記の粘着材をフィルム化したシート状粘着性接続部材であってもよく、また、静的な状態で流動せずに所定の形状を保持するが、自由に変形するものであってもよい。本発明において、固形の粘着性接続部材がシート状粘着性接続部材の場合、その形状は特に限定せず、接続部の周囲の環境や仕様に合わせて適宜選択すればよい。例えば、円形状、楕円形状、四角形状、三角形状などの形状を有していてもよい。また、シート状粘着性接続部材のサイズについては後述する。
【００４０】
本発明に用いる固形の粘着性接続部材は、ホーリーファイバ相互間、ホーリーファイバと他の光伝送媒体または光学部品との間で屈折率整合性を有していることが必要である。この場合の屈折率整合性とは、粘着性接続部材の屈折率とホーリーファイバ、他の光伝送媒体及び光学部品との屈折率との近似の程度をいう。本発明に用いる粘着性接続部材の屈折率は、ホーリーファイバ、他の光伝送媒体及び光学部品の屈折率に近いものであれば特に限定されないが、フレネル反射の回避による伝送損失の面から、それらの屈折率の差が±０．１以内であることが好ましく、±０．０５以内であるものが特に好ましく使用される。なお、ホーリーファイバと他の光伝送媒体または光学部品の屈折率の差が大きい場合には、ホーリーファイバと他の光伝送媒体または光学部品の屈折率の平均値と粘着性接続部材の屈折率が上記の範囲内であることが好ましい。
【００４１】
本発明の光学接続部品において、ホーリーファイバの端面間、ホーリーファイバの端面と他の光伝送媒体の端面または光学部品との間に介在する粘着性接続部材の厚みは、突き合わせ時の押圧力に依存するが、５０μｍ以下であるのが好ましく、より好ましくは２０μｍ以下である。突き合わされた後の厚みが５０μｍより大きいと、突き合わされたホーリーファイバの間隔が大きすぎるために光損失が増大し、光伝送用の接続構造として適さない場合がある。このことは、ホーリーファイバと他の光伝送媒体または光学部品との間でも同様である。
【００４２】
粘着性接続部材の交換は、例えばその表面に埃、あるいは塵が付着したなどの場合に適宜行えばよい。また、交換前の異物混入を防ぐために、粘着性接続部材の片面あるいは両面に保護フィルムを貼り付けておいてもよい。なお、ホーリーファイバ先端部を粘着性接続部材に数回押し当てたり、こすったりすることにより、ホーリーファイバ端部に付着したゴミや塵を粘着材に付着させた後、粘着性接続部材を交換すれば、ホーリーファイバの清掃手段としても利用できる。
【発明の効果】
【００４３】
本発明の光学接続構造においては、固形の粘着性接続部材が単一の層構造であるため、構造が簡単であり、光の反射が起きることがない。また、液状の屈折率整合剤で見られるような、ホーリーファイバ空孔部への屈折率整合剤の浸入と、それによるホーリーファイバ伝送特性への悪影響については、粘着性接続部材では、全く認められない。また、粘着性接続部材は固形であるため、接続部周囲に流れ広がることによる汚染や、埃の付着が起きにくくなり取り扱い性が向上する。さらに、ホーリーファイバ端面のみに密着させることができるので、周囲を汚染することなく、周囲から汚染を受けることもない。さらに本発明に用いる固形の粘着性接続部材は、接触によってホーリーファイバの端面に貼着するため、粘着性接続部材を保持する特別の支持手段や構造物を新たに設ける必要がなく、簡単な支持部材で支持することができ、省スペース化が図れる。また、固形の粘着性接続部材は自由に内部変形するために、ホーリーファイバ端部間に空気が入りにくくなり、研磨工程を必要とせずに低損失で接続が可能であり、かつ粘着性接続部材の復元力により複数回繰り返して光学接続を行うことができる。
【００４４】
また、固形の粘着性接続部材がシート状である場合、ホーリーファイバ端面同士の間隔を均一に、かつ狭くできるので光損失を低減することができる。また、ホーリーファイバの軸方向に伸びながら平面から波状に変形させることができるので、ホーリーファイバに過剰な押圧力がかかり難くなり、ホーリーファイバが破損することがない。さらに、多心のホーリーファイバテープの接続であっても簡単に接続することができる。すなわち、粘着性接続部材が、複数のホーリーファイバのそれぞれに対して、突き当てに応じて変形するので、ホーリーファイバの突き出し量にばらつきがあった場合でも、ホーリーファイバが破損することがなく、安定した光学接続を行うことができる。また、レンズやフィルタをホーリーファイバと接続する場合には、最小面積で密着させることができるために、粘着性接続部材を容易に剥がすことができ、作業性が向上する。また、粘着性接続部材が支持部材に支持されている場合は、粘着性接続部材の着脱時に支持部材を移動させればよく、粘着性接続部材を容易に交換することができ、作業性を格段に向上させることができる。
【発明を実施するための最良の形態】
【００４５】
次に、本発明の光学接続構造を図面を参照して説明する。まず、固形の粘着性接続部材がシート状粘着性接続部材である場合について、図１ないし図２３によって説明する。
【００４６】
図１は、シート状の粘着性接続部材を用いた本発明の光学接続構造の基本的な一例を示す平面図である。図１において、ホーリーファイバ１０ａとホーリーファイバ１０ｂの接続端面間に、シート状粘着性接続部材２１が貼着した状態で介在している。２本のホーリーファイバ１０ａ及び１０ｂはシート状粘着性接続部材２１を介して突き合わされ、それによりそれらホーリーファイバが光学的に接続された接続構造になっている。なお、２本のホーリーファイバ１０ａ、１０ｂは、先端より数十ｍｍの部分の被覆が除去され、そして先端がカットされている。上記の場合、２つのホーリーファイバの一方を、ホーリーファイバ以外の他の光ファイバに変えて光学接続構造を形成することもできる。なお、以下においても同様である。
【００４７】
ホーリーファイバの端面同士、またはホーリーファイバと他の光伝送媒体の端面もしくは光学部品とが光学接続する前のシート状粘着性接続部材の厚みｔは、１μｍ≦ｔ≦１５０μｍの範囲であることが好ましい。粘着性接続部材の厚みが１μｍより薄くなると取り扱い性が非常に困難になり、また柔軟性が維持できなくなるためにホーリーファイバの突き当てによりホーリーファイバ、他の光伝送媒体あるいは光学部品の破損を引き起こす可能性が高くなってしまう。逆に１５０μｍ以上であると、ホーリーファイバを突き当てることによって粘着性接続部材を変形させた場合であってもホーリーファイバの端面同士、またはホーリーファイバと他の光伝送媒体の端面もしくは光学部品との間隔が開きすぎてしまうために光損失が大きくなってしまう。より好ましくは２．５μｍ≦ｔ≦１００μｍ、更に好ましくは、５μｍ≦ｔ≦５０μｍであり、特に５μｍ≦ｔ≦３０μｍである。
【００４８】
また、本発明に用いるシート状粘着性接続部材は、単一の層から構成さ
れる。本発明でいう「単一の層」とは、２層、３層構造のように異種材料が接する界面がシート状粘着性接続部材内には存在しないことを意味し、光の波長オーダで均一に混ざり合った系を排除するものではない。本発明に用いるシート状粘着性接続部材は、上記のように粘着性を持つ単一の層からなる極めて単純な構造を有している。この単一の層構造のシート状粘着性接続部材を用いることにより、光反射が起きることなく接続することができるので、低損失な接続を行うことが可能である。また、ホーリーファイバの端面にバリがあっても、シート状粘着性接続部材に何等影響を与えることがない。さらに、表面が濡れ性を有することにより、突き合わされる二つのホーリーファイバの端面に容易に貼着させることができ、かつその接着力により、ホーリーファイバとの密着性を保持することができる。同時に屈折率整合性を有しているため、良好な光学接続を行うことが可能である。その上、シート状粘着性接続部材は、表面に濡れ性及び接着力があるために、ホーリーファイバの付き合せ時に過剰な押圧を加える必要がなく、したがって、ホーリーファイバの折れや欠けが起こる恐れはない。更にシート状粘着性接続部材は、粘着材の特性として再剥離性を有するために、複数回の着脱を行っても繰り返し使用することが可能である。
【００４９】
図２は、シート状粘着性接続部材を用いた場合の本発明の光学接続構造の他の一例を示す平面図であり、ホーリーファイバ１０ａとホーリーファイバ１０ｂの接続端面が、柔軟性を有するシート状粘着性接続部材２１を介して突き合わされ、それによりシート状粘着性接続部材２１が変形している状態を示している。上記のように、柔軟性を有するシート状粘着性接続部材２１は、その膜厚がある程度厚い場合でも、２本のホーリーファイバ間で内部変形させて２本のホーリーファイバを近接させることができる。したがって、シート状粘着性接続部材の膜厚を厚くすることができ、その取り扱いが非常に簡便になる。また、突き合わされる２本のホーリーファイバの端面の角度のずれや形状が変形していても、シート状粘着性接続部材がホーリーファイバの端面に密着しながら変形するため、ホーリーファイバ端部間に空気が入りにくくなり、高精度の研磨技術を用いなくても低損失な光学接続を実現できる。また、シート状粘着性接続部材が持つ接着力により、ホーリーファイバに振動、あるいは熱的な形状変化があっても、ホーリーファイバを安定して接続させることができる。さらにシート状粘着性接続部材は、その表面が柔軟性を有するために、突き合わせた時におけるホーリーファイバ端面の破損がなく、光学接続時の取り扱い性が極めて良好である。さらにまた、シート状粘着性接続部材はその柔軟性により元の状態に復元することができるため、シート状粘着性接続部材を複数回使用して、ホーリーファイバの光学接続構造からの脱着を繰り返すことが可能になる。
【００５０】
図３は、柔軟なシート状粘着性接続部材を用いた場合の本発明の光学接続構造の他の一例を示す平面図である。この図の場合、シート状粘着性接続部材２１の両端は、図示されていない他の構成部材により位置が固定されている。この光学接続構造の形成は次のようにして行われる。端部を被覆除去し、カットしたホーリーファイバ１０ａ、１０ｂ及びシート状粘着性接続部材２１を一定の間隔を置いて設置させておき、一方のホーリーファイバ１０ａを、その端面がシート状粘着性接続部材に密着するまで移動させ、さらにシート状粘着性接続部材を変形させながら他方のホーリーファイバ１０ｂに密着するまで移動させる。それによって、ホーリーファイバ１０ａ、１０ｂが機械的に光学接続された光学接続構造が形成される。この場合、シート状粘着性接続部材２１が変形し、突き合わせる前のシート状粘着性接続部材の端面の位置に対して、突き合わされたホーリーファイバ端面の位置が異なることになり、シート状粘着性接続部材２１は、図３に示すように、その形状が平板から波形形状に変形する。
【００５１】
上記の場合、シート状粘着性接続部材がホーリーファイバの軸方向に伸びながら変形するので、ホーリーファイバに過剰な押圧力がかかりにくくなり、ホーリーファイバの破損を防ぐことができる。また、一方のホーリーファイバを固定しておき、他方のホーリーファイバを、上記のように移動させるため、微妙な精度を要するホーリーファイバの位置合わせが不要となり、実用上、より信頼性のある光学接続構造の形成が可能になる。また、ホーリーファイバの接続を解除した場合は、シート状粘着性接続部材が柔軟性を有しているため、形状も変形前の形状に戻り、再度同じシート状粘着性接続部材を使用することができる。したがって、接続されるホーリーファイバ端面の周辺領域に、一定の間隔または空間が存在すれば、シート状粘着性接続部材が柔軟に伸びながら平面形状から波形形状に変形することが可能となるので、ホーリーファイバの着脱を反復して行うことが可能になる。なお、この場合の変形とは、シート状粘着性接続部材自体が伸びながら変形することを意味するが、図２のような内部に凹むように圧縮されて変形してもよい。
【００５２】
図４は、本発明の光学接続構造における、ホーリーファイバ１０とシート状粘着性接続部材２１の接続部分をホーリーファイバの軸に対して垂直の方向からみた平面図である。図４において、Ｄは、シート状粘着性接続部材２１と接触するホーリーファイバ１０の端面１０ｃの中心１１からシート状粘着性接続部材の周縁部２２までの距離の最小値であり、Ｒはホーリーファイバの半径である。シート状粘着性接続部材が上記のように変形するには、Ｄの値とＲの値が、Ｒ＜Ｄ≦６０Ｒの関係を満たすことが望ましい。
【００５３】
図５（ａ）〜（ｅ）は、種々の形状のシート状粘着性接続部材２１に対するＤの値を説明する図であり、ホーリーファイバの軸方向から見た平面図である。図５（ａ）〜（ｅ）中、１０ａはシート状粘着性接続部材２１と接触するホーリーファイバの端面、１１はその端面の中心、２２はシート状粘着性接続部材２１の周縁部を示している。図５（ｅ）のように多心のホーリーファイバを用いた場合は、Ｄは近接するホーリーファイバの端部の接触位置とホーリーファイバ中心との最短距離を意味する。ただし、後述する支持部材によって支持されている場合や、何らかの固定部材でシート状粘着性接続部材を固定した場合は、Ｄの値は、支持部材、あるいは固定部材が接触する部分を除いた部分の周縁部とホーリーファイバ中心との最短距離を示す。
【００５４】
図５（ａ）〜（ｅ）に示すように、シート状粘着性接続部材の周辺に一定の空間を持たせた場合、シート状粘着性接続部材がホーリーファイバを密着させた状態でも、自由度を持ち、柔軟に変形することができる。Ｄの値が６０Ｒより大きい場合は、ホーリーファイバの突き出しにより、シート状粘着性接続部材の変形量が大きくなり、全体的にたるみやしわが生じ、それによりシート状粘着性接続部材が破れる恐れがあるため、安定的な接続をすることができなくなる。また、ホーリーファイバを取り外したときのシート状粘着性接続部材の復元力も弱くなるため、再使用できなくなる。また、ＤがＲと等しい場合は、ホーリーファイバを突き合わせたときにシート状粘着性接続部材が密着するが、シート状粘着性接続部材を波状に変形させることができない。さらにＤがＲより小さい場合はホーリーファイバ表面全体にシート状粘着性接続部材が密着しないために、空気に接触し、光損失が増大する。また、Ｄの範囲は２Ｒ≦Ｄ≦３０Ｒとするのがより好ましい。
【００５５】
本発明において、シート状粘着性接続部材を固定するための手段は、特に限定されるものではないが、図１ないし図３に示す光学接続構造の場合、シート状粘着性接続部材は常に固定された状態で使用されることが好ましく、例えば、以下に示すような支持部材を用いるのが好ましい。図６は、本発明の光学接続構造に用いるシート状の粘着性接続部材の周縁部が種々の支持部材によって支持された状態を示す斜視図（図６（ａ）〜（ｄ）および（ｇ））および平面図（図６（ｅ）および（ｆ））である。支持部材３１はシート状粘着性接続部材２１を把持でき、かつ少なくともその両端を固定できればよく、その形状は図６（ａ）のように両端を把持した簡易的な形状であったり、図６（ｂ）のような３方向を固定したコの字形状であったりしてもかまわないが、上下左右方向を安定して把持できる図６（ｃ）〜（ｇ）のような窓型形状であることがより好ましい。また、図６（ｅ）、図６（ｆ）のように支持部材を保持しやすいように保持部３１１を設けてもよい。このような保持部を有する支持部材の場合は、後述する割スリーブを用いた本発明の光学接続構造において、保持部を把持しながら、支持部材を割スリーブに挿入し、中央近傍に設置することも可能である。
【００５６】
さらに、支持部材を構成する部材の個数についても限定せず、安定化するために図６（ｇ）のように二つの支持部材３１ａ、３１ｂによりシート状粘着性接続部材を挟み込んだ構造であっても構わない。なお、支持部材のサイズについては特に限定せず、使用環境および仕様に応じて適宜選択して用いればよい。また、支持部材の材料に関しても、金属類、プラスチック材料、ゴム材料など適宜選択して用いればよい。支持部材でシート状粘着性接続部材を固定することによって、シート状粘着性接続部材が柔軟に変形することができる。また、シート状粘着性接続部材を枠状の支持部材によって固定した場合は、設置作業においてシート状粘着性接続部材に接触することなく取り扱うことが可能となるため、シート状粘着性接続部材表面の汚染や塵などの付着を防止することができる。したがって、シート状粘着性接続部材の交換も容易に行うことができる。
【００５７】
図７は、位置合わせ部材として、接続用整列部材を用いた本発明の光学接続構造の一例を示す側断面図である。その構成は二つのホーリーファイバ１０ａ、１０ｂ、接続用整列部材４０、支持部材３１により支持されたシート状粘着性接続部材２１からなる。接続用整列部材４０は、中央に溝４０１を有し、溝４０１を挟んだ両側にホーリーファイバ素線またはホーリーファイバ心線を挿入するための一対の貫通孔４０２ａ、４０２ｂを有している。図７に示す光学接続構造は、貫通孔に対して垂直になるようにシート状粘着性接続部材２１を前記溝４０１に挿入し、次いで、前記接続用整列部材４０の貫通孔４０２ａ、４０２ｂに、先端を被覆除去しカットしたホーリーファイバ心線１０ａ、１０ｂを挿入し、各ホーリーファイバの端面をシート状粘着性接続部材２１に押し当てることにより、形成することができる。この場合、接続用整列部材を用いることにより、ホーリーファイバ同士の位置合わせを容易に行うことができる。また、接続用整列部材の溝にシート状粘着性接続部材を挿入することにより、シート状粘着性接続部材を接続用整列部材内に収納することができ、取り扱い性と埃・塵の付着防止効果を向上させることができる。
【００５８】
前記接続用整列部材によるホーリーファイバの位置合わせ手段および方法は、ホーリーファイバ端面が同軸上で位置合わせされればよく、特に限定されない。図７のように貫通孔を用いてホーリーファイバを挿入したり、あるいはＶ溝などの整列溝の上にホーリーファイバを載置してもよい。また、接続用整列部材のサイズは、特に限定されるものではなく、ホーリーファイバの種類または本数によって適宜選択すればよく、その形状も特に限定されるものではない。例えば、半円柱状、直方体状等の形状が挙げられる。さらに貫通孔の構造及び形状も特に限定されるものではなく、Ｖ溝基板を用いて、例えばガラスなどの平板を上から押さえ込み、その囲まれた溝を貫通孔としてもよく、この場合、ホーリーファイバの載置を上部から行うことが可能となる。また、例えばＭＴコネクタフェルールなどの既存の部材も、前記接続用整列部材として用いてもよい。さらに接続用整列部材を構成する材料も特に限定されるものではないが、例えばポリアセタール樹脂のような摩擦係数が小さい材料や熱変形しにくいなどの機械特性が良好な材料、ステンレス鋼、三フッ化エチレン樹脂、テトラフルオロエチレン樹脂などの腐食しない材料、または化学物質や溶剤に対して反応性が小さい材料であることが好ましい。
【００５９】
また前記接続用整列部材は多数の部材からなっていてもよく、例えば粘着性接続部材を挿入する溝を有する部材と、貫通孔を有する部材とを組み合わせた構造であってもかまわない。また、貫通孔を有する二つの整列部材にガイドピン孔などを設け、ガイドピンを挿入することによって、これらの整列部材同士を正確に位置合わせできるようにしてもかまわない。さらに、貫通孔先端をホーリーファイバの載置をしやすくするためにコーン状にするなどの加工を施してもよい。前記接続用整列部材に設けられた粘着性接続部材用の溝は、該シート状粘着性接続部材を挿入し、固定できればよく、その形状や位置、数については特に限定されない。
【００６０】
図８は、ホーリーファイバと光学部品とを接続した本発明の光学接続構造の一例を示す平面図である。この図の場合、光学接続構造は、シート状粘着性接続部材２１とホーリーファイバ１０及び光学レンズ１９を一定の間隔で設置し、ホーリーファイバ１０の端面がシート状粘着性接続部材２１に密着するまで移動させた後、さらにシート状粘着性接続部材２１が変形して光学レンズ１９に密着するまでホーリーファイバ１０を移動させることによって形成することができる。図８に示すように中央部より外周部に向けて段階的にあるいは連続的に厚みが薄くなるような凸形状の光学部品であっても、本発明によれば容易に光学接続を行なうことができる。また、上記方法によれば、光学部品を固定した状態で安定な接続を保持することができる。なお、粘着性接続部材は、少なくともホーリーファイバのコア部だけが光学レンズに密着するようにすればよい。したがって、粘着性接続部材を容易に光学レンズから剥がすことが可能であり、光学レンズが汚染されることを防止することも可能である。
【００６１】
次に、シート状粘着性接続部材を用いてホーリーファイバの端面処理を行い、端面のみに粘着性接続部材を設けた光学接続構造について説明する。図９ないし図１７はその場合に関するものである。
【００６２】
図９は、シート状粘着性接続部材を用いて作製された本発明の光学接続構造の他の基本的な一例を示す平面図である。すなわち、２本のホーリーファイバ１０ａと１０ｂが粘着性接続部材２０を介して付き合わされており、それによってホーリーファイバが光学的に接続された光学接続構造が形成されている。なお、二つのホーリーファイバは先端より数１０ｍｍを被覆除去し、先端がカットされている。この図の場合、シート状粘着性接続部材は、後述の図１０および図１１に示す端面処理法によってホーリーファイバの端面のみに設けられている。
【００６３】
上記の場合、粘着性接続部材は突き合わされたホーリーファイバの端部にのみ設けられるため、ホーリーファイバの径とほぼ同じサイズとなり、粘着性接続部材の占有範囲は極めて小さくすることが可能であり、非常にシンプルな構造に設計できる。また、周囲のゴミや塵などと接触することも無いため、汚染されることもなく、流れ出ることもないため、周囲を汚染することもない。
【００６４】
図１０および図１１は、図９の光学接続構造を形成するための本発明のホーリーファイバの端面処理方法の一例の工程図であり、シート状粘着性接続部材を端面のみに貼着する基本的な例を示すものである。図１０において、端部を被覆除去し、カットしたホーリーファイバ１０の側方にシート状粘着性接続部材２１が設置されている。シート状粘着性接続部材の両端は、図示されていない他の適宜の部材により位置が固定されている。まず、ホーリーファイバ１０の端面がシート状粘着性接続部材２１に接触するまで、ホーリーファイバをシート状粘着性接続部材に対して相対的に移動させる。次にホーリーファイバを、さらに軸方向に移動させることにより、シート状粘着性接続部材の一部がホーリーファイバの端面に貼着した状態で切り離され、ホーリーファイバ端面に粘着性接続部材２０を設けることができる。
【００６５】
また、図１１においては、ホーリーファイバ１０の端部がシート状粘着性接続部材２１に接触するまで、ホーリーファイバをシート状粘着性接続部材に対して相対的に移動させる。その後、ホーリーファイバを逆方向に移動させることにより、粘着性接続部材の粘着性を利用し、シート状粘着性接続部材の一部がホーリーファイバの端面に貼着した状態で切り離され、ホーリーファイバ端面に粘着性接続部材２０を設けることができる。この方法によれば、図１０に示す方法よりもホーリーファイバの移動範囲を小さくすることができるため、作製スペースをさらに省スペース化できるという利点がある。
【００６６】
図１２は、本発明の光学接続構造を作製する好ましい一例を説明する工程図であって、接続用整列部材を用いて光学接続構造を形成する場合を示している。すなわち、上記図１０および図１１に示すようにして、先端を被覆除去し、カットして、端面に粘着性接続部材２０を貼着したホーリーファイバ１０ａを、貫通孔を有する接続用整列部材４１の貫通孔４１１に挿入する（図１２（ａ））。次に対向側の貫通孔より先端を被覆除去し、カットしたホーリーファイバ１０ｂを挿入し、そのホーリーファイバの端面を粘着性接続部材に押し当てることにより、光学的な接続を行う（図１２ｂ））。本発明において、粘着性接続部材は、接続に必要な最小限の範囲でホーリーファイバ端面を覆っているので、狭い貫通孔を有する整列部材内であっても使用できる。また、粘着性接続部材を保持するための特別な部材は必要とされないため、ホーリーファイバの軸方向の移動を自由に行うことができる。したがって、光学部品の実装の際には、接続状態を維持したまま自由にホーリーファイバの位置を調節することができる。また、接続用整列部材を用いることにより粘着性接続部材を接続用整列部材内に収納できるため、取り扱い性と埃・塵の付着防止効果を向上させることができる。
【００６７】
図１３は、本発明の光学接続構造を作製するための、ホーリーファイバの端面処理方法の一例の工程図であって、端面処理のためにシート状粘着性接続部材を支持する端面処理用部材を使用した場合を示している。図において、端面処理用部材６１は１つの貫通孔６１１を有しており、貫通孔はホーリーファイバ心線またはホーリーファイバ素線が挿入できる。端面処理用部材の片面には貫通孔を覆うようにシート状接着性接続部材２１が貼りけられている。先端を被覆除去し、カットしたホーリーファイバ１０を貫通孔６１１に挿入し（図１３（ａ））、シート状接着性接続部材とホーリーファイバ１０の端面が接触するまで移動させ（図１３（ｂ））、さらにホーリーファイバを移動させて貫通孔を貫通することにより、シート状粘着性接続部材の一部がホーリーファイバの端面に貼着した状態で切り離され、ホーリーファイバ端面に粘着性接続部材２０を貼着することができる。（図１３（ｃ））。この図に示す場合、シート状粘着性接続部材２１を支持する端面処理用部材６１を設けることにより、シート状粘着性接続部材の切り離しをホーリーファイバの形状に合わせて行うことができるため、良好な歩留まりで処理することができる。また、一定の角度を有しているホーリーファイバの端面であっても、確実に粘着性接続部材を付着させることができる。
【００６８】
図１４は、本発明の光学接続構造を作製するための、ホーリーファイバの端面処理方法の一例の工程図であって、シート状粘着性接続部材を支持する端面処理用部材を使用した場合を示している。また、図１５は図１４のＡ−Ａ線の断面図である。これらの図の場合、端面処理用部材６２は、ホーリーファイバを案内するＶ字状整列溝６２１を有する下部基板６２２の上に、ガラスなどの上部平板６２３を載置した構造を有しており、位置合わせ部材として用いることもできる。そして、整列溝６２１と上部平板６２３とによって貫通孔が形成されている。端面処理用部材の一端には、シート状粘着性接続部材２１が貼着固定されている（図１４（ａ））。このような端面処理用部材を用いる場合、ホーリーファイバ１０を整列溝に載置した後、上部平板６２３を下部基板６２２の上に載せることも可能である（図１４（ａ））。そして整列溝に載置したホーリーファイバ１０は、整列溝に沿って軸方向に移動させることにより、その端面をシート状粘着性接続部材２１に接触させ（図１４（ｂ））、さらに移動させて、その端面に粘着性接続部材２０を貼着することができる（図１４（ｃ））。また、貫通孔を貫通した後、上部平板６２３を外すことにより、粘着性接続部材を設けたホーリーファイバ１０を上方より容易に取り出すことができる（図１４（ｄ）)。
【００６９】
本発明において、図１４に示されるようなシート状粘着性接続部材を支持する端面処理用部材を用いて端面処理した場合、光学接続構造を形成する際のホーリーファイバ同士またはホーリーファイバと他の光ファイバの位置合わせ方法は、ホーリーファイバ端面またはホーリーファイバと他の光ファイバの端面が同軸上で位置合わせされていればよく、特に限定されるものではない。また、上記端面処理用部材のサイズや形状も特に限定されるものではなく、前記図７において述べた接続用整列部材と同様の材料を用いて形成される。
【００７０】
本発明における光学接続構造は、メカニカルスプライス方式の光学接続部材に適用することができる。図１６はその場合の本発明における光学接続構造を示す。この接続構造は、ホーリーファイバの位置合わせを行うためのＶ字状の整列溝４３１が形成された整列部材４３に、粘着性接続部材２０を挟んだホーリーファイバ１０ａ、１０ｂが対向して載置されており、その上部から押え部材８１がホーリーファイバを押さえて固定している。クランプばね等によって、これら整列部材と押え部材とを上下から挟持して固定する構造としてもよい。
【００７１】
また、本発明のメカニカルスプライス方式の光学接続構造において、シート状の粘着性接続部材に限らず、自由に変形する粘着性接続部材を用いて光学接続構造を形成しても構わない。なお、上記の光学接続構造は単心用のものであるが、多心であってもよく、この場合は、Ｖ字状の整列溝が多列に形成されており、各ホーリーファイバ心線がＶ字状の整列溝にそれぞれ挿入されるようになっている。
【００７２】
図１７は、本発明の光学接続構造を作製するための、光学接続方法の一例の工程図であって、シート状粘着性接続部材を支持する接続用整列部材を使用した場合を示している。図において、接続用整列部材４０は、中央付近にシート状粘着性接続部材を支持する深溝４０３を有し、また、その深溝を挟んだ両側には、同軸の一対の貫通孔４０２ａ、４０２ｂを有し、ホーリーファイバの整列機能を有すると共に、シート状粘着性接続部材を支持する機能も同時に備えている（図１７（ａ））。まずシート状粘着性接続部材２１を貫通孔に対して垂直になるように深溝４０３に挿入する（図１７（ｂ））。次に被覆除去し、カットしたホーリーファイバ１０ａを貫通孔４０２ａに挿入し、貫通孔内でホーリーファイバの端面をシート材に接触させ、更にホーリーファイバを移動させて、他方の貫通孔４０２ｂに挿入させる。これによって、シート状粘着性接続部材の一部が切り離され、ホーリーファイバの端部に粘着性接続部材２０が貼着する（図１７（ｃ））。次に、もう片側の貫通孔より他のホーリーファイバ１０ｂを挿入し、粘着性接続部材に密着するまで移動させる（図１７（ｄ））。この図に示す場合、ホーリーファイバの接続点の位置は自由に設定できるため、取り扱い性と作業性が格段に向上する。
【００７３】
本発明において、シート状粘着性接続部材は、アダプタに装着されていてもよく、また、支持部材に支持されて、割スリーブ内に装着されていてもよい。図１８ないし図２３はそれらの場合を例示するものである。
【００７４】
図１８は、ホーリーファイバを整列して把持するＭＴフェルールを備えたＭＰＯコネクタプラグ７１ａ、７１ｂがアダプタ５０を介して接続された状態を示す図である。アダプタとしては、例えば、図１９および図２０に示すものを用いることができる。
【００７５】
図１９の場合、アダプタ内のＭＴフェルールが突合する中心近傍に、適当な部材により上下方向で把持されているシート状粘着性接続部材２１が配置されている。すなわち、二つに分離されたＭＰＯアダプタの一方５１１にシート状粘着性接続部材２１を配置し、他の一方５１２を捩子等により結合することによって内部に粘着性接続部材を配置したアダプタが用意される。このように、予めアダプタ内にシート状粘着材からなる接続部材を配置させると、接続部材に周囲環境からの汚染や埃などの付着が起こることがなく、またフェルール端面に接続部材を載置する必要もないため作業性も向上するので好ましい。
【００７６】
図２０の場合、ＭＰＯアダプタ５１は、ＭＴフェルールが突合する中心近傍に、上部が開放した溝５１３を有している。この溝に、前記図６（ｃ）のような上下方向を把持されているシート状粘着性接続部材を挿入する。このようにアダプタ内に支持部材により支持された粘着接続部材を装着する機構を有していると、シート状粘着性接続部材を支持している支持部材を交換することが簡単であり、作業性が向上する。また、光学接続には一つのアダプタを複数回使用することができ、経済的である。
【００７７】
図２１は、本発明をＦＣ型光コネクタに適用するアダプタの側断面図である。図２１において、アダプタ５２には、割スリーブ４９が装着されており、割スリーブは中心近傍に、シート状粘着性接続部材２１が配置されている。粘着性接続部材としては、割スリーブをアダプタに装着する前に、割スリーブのスリット部分より硬化可能な粘着材を流し込み、硬化させて形成した膜状のものが用いられる。このように予めアダプタ内の割スリーブ内にシート状粘着性接続部材が具備されていると、接続部材を確実にフェルール端面に載置させることができ、作業性も向上する。
【００７８】
シート状粘着性接続部材を固定するための手段は、上記のように割スリーブ内に硬化によって固定させるなど、特に限定しないが、接続部材が常に固定された状態で使用されるのが好ましく、例えば、以下に示すような支持部材を用いてもよい。
【００７９】
図２２（ａ）は、本発明におけるシート状粘着性接続部材が支持部材に支持された状態を示す図であって、支持部材３１は、フェルールと同じ断面形状を有する円形であり、シート状粘着性接続部材２１の外周を把持している。図２２（ｂ）は、図２２（ａ）に示す支持部材によって支持されたシート状粘着性接続部材が割スリーブ内に装着される状態を説明する斜視図である。前記支持部材３１により支持されたシート状粘着性接続部材２１を割スリーブ４９に対して垂直に載置し、これを割スリーブの内径と同じ径の円筒形押圧部材９１により、割スリーブ内に押し込んで、中央付近に載置する。上記のようにシート状粘着性接続部材を支持部材により支持させることにより、フェルールに容易に取り付けることができる。また、シート状粘着性接続部材の交換は、フェルールを取り出した後に支持部材を押圧部材９１により押し込むことによって、割スリーブ内から容易に取り出すことができるので、割スリーブやアダプタをそのまま再使用することが可能である。
【００８０】
図２３は、上記の割スリーブを用いてフェールを突き合わせた場合を説明する断面図である。図２３に示すように、支持部材３１によって支持されたシート状粘着性接続部材２１が装着された割スリーブ４９に、ホーリーファイバ１０ａ、１０ｂを固定した一対のフェルール７５a、７５ｂを挿入する。これらのフェルールは、その先端形状が凸型形状になっており、そのため、光学接続時には、その突き合わされたフェルール先端の凸部と凸部との間に隙間が生じる。支持部材３１は、シート状粘着性接続部材２１とフェルール端面との接触を妨害することのないように、生じたフェルール間の隙間に位置することになり、それによって光学接続構造が形成される。
【００８１】
次に、粘着性接続部材がシート状ではなく、自由に変形する材料よりなる場合について説明する。図２４ないし図２９はその場合を例示するものである。
【００８２】
図２４は、自由に変形する粘着性接続部材を用いて光学接続構造を形成する一例の工程図である。図２４（ａ）に示すように、一対のホーリーファイバ１０ａ、１０ｂと、逆三角形をしたＶ字状の整列溝４２１を有する整列部材４２と、支持部材３４とを用意する。支持部材３４は、円柱状であり、その下部外周部（外周の一部）には、屈折率整合性を有し、かつ自由に変形する固形の粘着性接続部材２５が塗布により取り付けられている。また、ホーリーファイバ１０ａ、１０ｂは、端部の被覆が除去され、カットされた端面を有している。次に、図２４（ｂ）に示すように、一対のホーリーファイバ１０ａ、１０ｂを整列部材４２のＶ字状の整列溝４２１内に上方より載置する。その場合、ホーリーファイバ間に適当な間隔が存在するように載置する。次に、図２４（ｃ）に示すように、支持部材３４を整列部材４２上に、支持部材がホーリーファイバ１０ａとホーリーファイバ１０ｂとの間に位置するように載置し、これを図示しない粘着材で仮固定する。それにより、支持部材３４の下部外周部に塗布された粘着性接続部材２５は、Ｖ字状の整列溝４２１の内部に垂れ下がって存在するようになる。次いで、図２４（ｄ）に示すように、２本のホーリーファイバ１０ａ、１０ｂを移動させて支持部材３４の下方で突き合わせる。それにより、ホーリーファイバ１０ａ、１０ｂの先端が粘着性接続部材２５に接触し、粘着性接続部材が変形してホーリーファイバ１０ａ、１０ｂ間に介在した本発明の光学接続構造が形成される。なお、図２４（ｅ）に示すように、ホーリーファイバ１０ａ、１０ｂは上部より板状の押え部材８１ａ、８１ｂ等によって固定するのが好ましい。
【００８３】
上記の場合、粘着性接続部材２５が支持部材３４に支持されているので、作業者が直接、粘着性接続部材２５に接触することなくホーリーファイバ１０ａ，１０ｂを取り扱うことが可能となる。また、一定量の粘着性接続部材２５が支持部材３４の下部外周部に備えられているために、ホーリーファイバ１０ａ，１０ｂの接続端面のみに接続部材２５を取り付けることができ、接続部周囲に汚染や埃等の付着の影響を与えることがない。またＶ字状整列溝４２１上で位置あわせをすることができるため、ホーリーファイバ１０ａ，１０ｂの光軸にずれを起こすことなく光学接続を行うことができる。
【００８４】
上記の場合、整列部材４２には、図２５に示すように、整列溝４２１と交差する方向に、整列溝４２１の深さよりも浅いＶ溝４２２を有していてもよい。この整列部材を使用する場合には、Ｖ溝４２２上に、粘着性接続部材が支持された支持部材３４を載置することができ、それにより、支持部材３４の位置を簡単に固定することができる。
【００８５】
自由に変形する粘着性接続部材を支持するための支持部材は、その材質および形状については特に限定されるものではない。例えば、図２６（a）〜（ｆ）に示すような形状の支持部材３４を用いることができる。すなわち、棒状のもの（図２６（a））、一つの突起物３４１を設けたＬ字形状やＴ字形状のもの（図２６（ｂ）、図２６（ｃ））、二つの突起部３４１ａ、３４１ｂを設けたもの（図２６（ｄ）〜図２６（ｆ））等、種々の形状のものが使用できる。また、その断面形状は、円形、楕円形、または三角形、四角形などの多角形であってもよい。材質としては、金属類、ガラス類、プラスチック類、ゴム材料など、適宜選択して用いればよい。なお、図２６（ｆ）のように上方に保持部３４２ａ、３４２ｂを設けたものは、支持部材を把持しやすくし、装着するときの作業効率が向上する。なお、上記突起部は、支持部材を整列部材に載置する際に、整列部材に設けた孔に嵌合するものであるのが好ましく、支持部材を安定化させるように作用する。
【００８６】
図２７は、図２６（ｅ）に示す支持部材を用いて光接続構造を形成する場合を説明する図である。整列部材４２には、Ｖ字状の整列溝４２１およびその両側に一対の孔４２３ａ、４２３ｂが設けられており、粘着性接続部材２５を保持した支持部材３４の突起部３４１ａ、３４１ｂが、この孔４２３ａ、４２３ｂに挿入されるように構成されている。この構成の場合、各突起部３４１ａ、３４１ｂを各孔４２３ａ、４２３ｂにそれぞれ挿入することにより、支持部材３４を整列溝４２１上に載置して、簡単に支持部材３４と整列部材４２の位置合わせをすることができ、また光学接続時には支持部材３４の位置を安定させることができる。
【００８７】
また、粘着性接続部材を支持部材に設ける位置および設ける方法には、何等の限定はなく、粘着性接続部材の性状等に応じて適宜選択して用いればよい。例えば、粘着性接続部材を設ける位置については、図２８（ａ）、（ｄ）のように支持部材３４の外周部全面に取り付けたものや、図２８（ｂ）、（ｃ）、（ｅ）のように支持部材３４の下部外周部に取り付けたものなど、整列溝の位置、サイズに合わせて取り付ければよい。
【００８８】
支持部材に粘着性接続部材を設ける方法については、例えば、液状の粘着性接続部材をスプレーや刷毛などで塗布して固化する方法、粘着性接続部材をフィルム化し、支持部材の外周に巻きつけたり（図２８（ｄ））、外周の一部に貼着する方法（図２８（ｅ））などが採用できる。
【００８９】
本発明の光学接続構造においては、支持部材３４の直下においてホーリーファイバ１０ａ、１０ｂが接続されたものである必要はない。例えば、図２９に示すように、ホーリーファイバの端面が支持部材が載置された位置とは異なる位置で接続されていても構わない。図２９に示す場合、ホーリーファイバ１０ａ、１０ｂを整列部材４２の整列溝４２１に配置し（図２９（ａ））左側のホーリーファイバ１０ａを右方向に移動させて、その端面を支持部材３４に設けた変形可能な粘着性接続部材２５に接触させ、さらにホーリーファイバ１０ａを右方向に移動させて左側のホーリーファイバ１０ｂの端面に突き当てればよい（図２９（ｂ））。それにより、ホーリーファイバ１０ａと１０ｂの間に粘着性接続部材２５が密着した状態で介在する本発明の光学接続構造が形成される。なお、この場合、図２９（ｃ）に示すように、押え部材８１で支持部材３４を下方向に押さえ込むことによってホーリーファイバ１０ａの固定も行うこともできる。
【００９０】
本発明において、上記整列部材４２のサイズは、特に限定されるものではなく、ホーリーファイバの種類、または本数によって選択すればよく、その形状も特に限定されるものではない。また整列溝４２１の本数も、ホーリーファイバの本数により選択すればよく、ホーリーファイバが複数本であっても、整列溝４２１の間隔は仕様により適宜選択すればよい。さらに整列溝４２１の断面形状も特に限定されるものではなく、Ｖ字形状の他に、楕円形状、円形状、矩形形状などであっても構わない。Ｖ溝形状、矩形形状のように、ホーリーファイバ端面近傍に整列溝空間が存在すると、粘着性接続部材２５が変形して接続される場合に、はみ出した材料がその整列溝空間に広がるため、よりホーリーファイバ間の距離が縮まり、光損失も小さくなる。また、粘着性接続部材が、ホーリーファイバ端面全面に密着するために、ホーリーファイバの光学接続を安定させることができる。特にＶ字状の整列溝は、ホーリーファイバを載置しやすく、安定化させやすいので、最も適した構造である。また、整列部材の材料に関しても特に限定するものではなく、前記図７の整列部材に関して述べたと同様のものが使用できる。
【００９１】
本発明において、粘着性接続部材の粘着保持距離は１０μｍ以上であることが好ましいが、粘着性接続部材の粘着保持距離は、２３±１℃、湿度４５％の条件下で次のようにして測定した値である。
【００９２】
図３０は粘着保持距離の測定方法を説明するための説明図であり、図３１は、粘着性接続部材を貼着した状態のＭＴフェルールの斜視図であり、図３２は図３０のホーリーファイバの接続部分の拡大図である。図３０に示すように、ＭＴフェルール７５ａ（白山製作所製、８心、材質ＰＰＳ）の端面に、厚さ５０μｍの粘着層を設けた厚さ１００μｍのプラスチックフィルム９１（９１ａ、９１ｂ）（サイズ０．５ｍｍ×７ｍｍ）を貫通孔７５１ａ、７５１ｂの上下にそれぞれ貼り付け、その二つのフィルムの中央を繋ぐようにシート状粘着性接続部材２１（サイズ２ｍｍ×３ｍｍ×厚さ２５μｍ）を貼り付けた（図３１）。そしてＭＴフェルール７５ｂをＭＴフェルール７５ａの端面に向き合わせて配置し、ガイドピンを介して位置合わせし、ＭＴフェルール７５ａとＭＴフェルール７５ｂの端面間隔を１ｍｍにして固定した（図３０（ａ））。
【００９３】
次に、フェルール７５ａの貫通孔に、先端の被覆を除去し、クリーブしたホーリーファイバ１０ａ（クラッド径１２５μｍ、シングルモードファイバ、古河電工製）を挿入し、ホーリーファイバの端面を粘着性接続部材に接触させ、（図３０（ｂ））さらに、接触した位置から２５０μｍ突き出した位置でホーリーファイバ１０ａを固定した（図３０（ｃ））。
【００９４】
もう一方のＭＴフェルール７５ｂの貫通孔に同種のホーリーファイバ１０ｂを挿入し、ホーリーファイバ１０ｂの端面を粘着性接続部材に接触するまで移動させた。この接触位置を原点Ｇとする。さらに、原点Ｇとホーリーファイバ１０ｂの端面との間隔が１０μｍになる位置までホーリーファイバ１０ｂを移動させた（矢印方向）後、ホーリーファイバ１０ｂをその状態で２秒間保持した（図３０（ｄ）３２図（ａ））。
【００９５】
その後、ホーリーファイバ１０ｂを矢印方向に１０μｍ／ｓｅｃの速度で徐々に戻し（図３０（ｅ））コアから粘着性接続部材が剥れるまでホーリーファイバ１０ｂを移動させた。そして、コアから粘着性接続部材が剥れた位置と原点Ｇとの間の距離を計測し、この距離Ｈを粘着保持距離とした。（３２図（ｂ））
以下、本発明の光学接続構造およびそれを形成するための光学接続方法を実施例によって説明するが、本発明はこれらに限定されるものではない。
【００９６】
シート状粘着性接続部材の作製例１
ｎ−ブチルアクリレート／メチルアクリレート／アクリル酸／２−ヒドロキシエチルメタクリレート共重合体（配合比＝８２／１５／２．７／０．３）からなるアクリル系樹脂の３０％酢酸エチル溶液１００部に、コロネートL（日本ポリウレタン工業社製、トリメチロールプロパンのトリレンジイソシアネートアダクト）１．０部を配合して混合した。得られたアクリル系粘着材塗布液を、離型材を塗布したプラスチックフィルムの一面に、乾燥後の膜厚が１００μｍになるように塗工してアクリル系粘着材層を製膜した。使用に際して、プラスチックフィルムより剥離した（シート状粘着性接続部材（１））。なお、このときにアクリル系粘着材について、分光光度計にて１３００〜１３２０ｎｍの波長領域における光透過率を測定したところ、９３．５％であった。また、アクリル系粘着材の屈折率をアツベ屈折率計で測定したところ、１．４６５であった。
【００９７】
シート状粘着性接続部材の作製例２
ＳＤ４５９０／ＢＹ２４−７４１／ＳＲＸ２１２／トルエン（＝１００／１．０／０．９／５０（重量部））からなる付加型シリコーン系粘着材塗布液（いずれも東レ・ダウコーニング社製）（ＳＤ４５９０を主剤とし、ＢＹ２４−７４１及びＳＲＸ２１２を硬化剤とする付加型シリコーン系粘着材である。）を用意した。この付加型シリコーン系粘着材を、離型材を塗布した厚み１００μｍのポリエチレンテレフタレートフィルムの一面に、乾燥後の膜厚が５０μｍになるように塗工して付加型シリコーン粘着材層を製膜した。使用に際して、ポリエチレンテレフタレートフィルムより剥離した（シート状粘着性接続部材（２））。
【実施例１】
【００９８】
図３３は、ホーリーファイバとロッドレンズを接続する工程を示す図である。ホーリーファイバ素線１０をガラス基板８０上の整列部材４３のＶ字状の整列溝に設置した。一方、ロッドレンズ１７（ｍｆｌｅｎｄｓ社製 外径２ｍｍφ）を２．１ｍｍφの貫通孔４４１を有するロッドレンズ用整列部材４４（サイズ５ｍｍ×５ｍｍ×１０ｍｍ）に貫通させ、ロッドレンズ端面をロッドレンズ用整列部材端面から適当な距離に位置させて接着剤で固定し、ロッドレンズがＶ字状の整列溝と位置合わせされた状態にし、さらにガラス基板８０のスリット８０１から０．０５ｍｍの位置に整列部材４３及びロッドレンズ用整列部材４４をガラス基板表面に接着剤で固定した。その後、シート状粘着性接続部材２１をスリットに挿入して設置した（図３３（ａ））。次に、ホーリーファイバをＶ字状の整列溝に這わせる様に移動させて、ホーリーファイバの端面をシート状粘着性接続部材に突き当て（図３３（ｂ））、さらに移動させてシート状粘着性接続部材を変形させることにより、該部材の反対側をロッドレンズに密着させた。その後、ホーリーファイバ１０を平面板８５と整列部材４３で挟みこみ、さらに光ファイバ固定ジグ９４でそれらを挟み込み固定した（図３３（ｃ））。上記のように、ホーリーファイバとレンズのようにサイズの異なる光伝送媒体間の接続であっても、ホーリーファイバを押し当てて粘着性接続部材を変形させることによって、レンズとシート状粘着性接続部材は最小限の面積で密着するので、両者の取り外し作業時には簡単に剥がすことが可能であった。
【実施例２】
【００９９】
図３４に示すようにしてホーリーファイバの端面処理を行なった。すなわち、光学部材のシート状粘着性接続部材２１として、屈折率１．４６に調節したアクリル系粘着材をシート化し、厚み２５μｍ、サイズ８ｍｍ×１６ｍｍのシートを用いた。これをシートと同等のサイズのＵ字型の支持部材３１にしわがないように貼り付けた（図３４（ａ））。次に、１本のホーリーファイバ１０（日立電線製、ＢＢＧ−ＨＦ）のホーリーファイバ素線を剥き出しにし、端部から１０ｍｍのところでホーリーファイバ素線をカットした。次に、支持部材に貼り付けたシート材をホーリーファイバ素線の端面に密着させて配置した（図３４（ｂ））。そして、ホーリーファイバ端面に接触して密着するシート状粘着性接続部材を非接触部分から切り離されるまでホーリーファイバ１０を移動させた（図３４（ｃ））。次いで、端面に粘着性接続部材２０が貼着したホーリーファイバを上方に移動し、ホーリーファイバをシートを支持する支持部材３１より取り外した（図３４（ｄ））。この場合、ホーリーファイバに接する面における粘着性接続部材の周辺部は、コアの中心から５０μｍ〜６５μｍ程度であった。
【０１００】
この粘着性接続部材２０を具備したホーリーファイバ１０ａを図３５に示すような整列部材４５を用いて光学接続した。すなわち、幅が２５０μｍ、高さ２５０μｍのＶ字状整列溝４５１を中央に有する下部基板４５２（１０ｍｍ×４０ｍｍ×１０ｍｍ）のＶ字状整列溝内に、先端を被覆除去し、カットしたホーリーファイバ１０ａを載置し、他方、同様なホーリーファイバ１０ｂを対向するように載置した。二つのホーリーファイバ１０ａ及び１０ｂをＶ字状整列溝に沿わせて、粘着性接続部材２０に接触するまで近づけて密着させた。この状態で、上方からガラス製の上部平板４５３をＶ字状整列溝を有する下部基板４５２に載せて固定した。
【０１０１】
以上のようにして、二つのホーリーファイバをＶ字状整列溝内にて周囲の汚染が起きることなく簡単に接続させることができた。また、粘着性接続部材の柔軟性によりホーリーファイバの端面周辺の自由度が増すためにホーリーファイバに過剰な押圧力がかからなくなり、その結果、ホーリーファイバの破損が起こることなく、極めて良好な取り扱い性で光学接続を行うことができた。また、粘着性接続部材の粘着性によりホーリーファイバ端面が密着するために接続損失が０．３ｄＢと小さかった。
【０１０２】
また、図３４に示すホーリーファイバの端面処理方法は、ホーリーファイバを移動させるだけで、簡単に支持部材に固定した接続部材をホーリーファイバ端面に貼着させることができ、取り扱い性が良好であった。
【実施例３】
【０１０３】
図３６に示すようにしてホーリーファイバの光学接続を行った。接続用整列部材４６（サイズ１０ｍｍ×２０ｍｍ×４０ｍｍ）は、中央に幅０．２５ｍｍの深溝４６１と一対の貫通孔４６２ａ、４６２ｂを有していた。一方、上記のようにして得られたシート状粘着性接続部材（１）２１を、中央に空洞を有する透明のプラスチック樹脂の二つの支持部材３１ａ、３１ｂ（２ｍｍ角厚み０．１ｍｍ）で挟み込み、シート状粘着性接続部材を内包したカートリッジを作製した。このカートリッジを、図３６（ａ）に示すように、接続用整列部材の深溝４６１に装着した。先端２５ｍｍを被覆除去し、カットしたホーリーファイバ１０ａ、１０ｂを貫通孔にそれぞれ挿入し、一方のホーリーファイバ１０ａをカートリッジに内包されたシート状粘着性接続部材に接触させ（ｂ）、更にゆっくり押し込むことにより、粘着性接続部材２０がホーリーファイバの端面に貼着されるようにした（ｃ）。このホーリーファイバを適当な位置まで移動させ、接続用整列部材に接着剤で固定した。次に対向するもう一方のホーリーファイバ１０ｂを移動し、粘着性接続部材に密着させた（ｄ）。その後、このホーリーファイバを接続用整列部材に接着剤で固定した。
【０１０４】
以上のようにして、接続用整列部材内で、粘着性接続部材のシート材を内包し、かつシート状粘着性接続部材からその一部を切り離し、そのまま光学接続することにより、粘着性接続部材の貼着からホーリーファイバの接続までを一つの部材によって行うことができた。その結果、構造的に安定した光学接続が可能となり、光学接続構造の作製後に、粘着性接続部材にゴミや塵の付着を防止することができ、生産効率が向上した。
【実施例４】
【０１０５】
図３７は、単心ホーリーファイバを接続する場合の本発明の光学接続構造（光コネクタ）の一例を説明するための図であって、図３７（ａ）は光学接続構造の構成要素を示す図、図３７（ｂ）は接続した状態を示す図である。先端を被覆除去し、クリーブしたホーリーファイバ１０をＦＣコネクタプラグ７２に設けたＦＣコネクタのフェルール７６の貫通孔７６１に挿入し、フェルール端面７６２とホーリーファイバ端部がほぼ一致するように位置を調整し、貫通孔内に接着剤としてエポキシ樹脂（Ｅｐｏｘｙ  Ｔｅｃｈｎｏｌｏｇｙ  Ｉｎｃ．製  エポテック３５３）を流し込んで熱硬化させることにより、ホーリーファイバを固定した。次にフェルール端面に、膜厚２５μｍのアクリル系粘着樹脂を用いたシート状粘着性接続部材２１を空気が入らないように密着させて載置し、これをフェルール径に対応した径の割スリーブ４９内に挿入し、反対側から相対するフェルールを突き合せることによってフェルール同士を接続させて、本発明の光学接続構造を形成した（図３７（ｂ））。
【実施例５】
【０１０６】
図３８は、多心ホーリーファイバを接続する場合の本発明の光学接続構造（光コネクタ）の一例を説明する図であって、図３８（ａ）は光学接続構造の構成要素を示す図、図３８（ｂ）は接続した状態を示す図である。また図３９（ａ）〜（ｃ）は、図３８の光コネクタの接続工程を示す説明図である。なお、本図では４本のホーリーファイバ素線を紫外線硬化型樹脂によりテープ化したホーリーファイバテープ心線を用いた場合を示しているが、ホーリーファイバ本数はこれに限定されるものではない。
【０１０７】
先ず、ホーリーファイバテープ心線１５ａ、１５ｂの先端の被覆を除去し、クリ−ブした各４本のホーリーファイバ１０１ａ〜１０４ａ、１０１ｂ〜１０４ｂを、各ＭＴフェルール７５ａ、７５ｂの貫通孔にそれぞれ挿入し、フェルール端面７５３とホーリーファイバ端部がほぼ一致するように位置を調整し、接着剤塗布孔７５２ａ、７５２ｂよりエポキシ樹脂を流し込んで硬化させることにより、ホーリーファイバを固定した（図３９（ａ））。
【０１０８】
次に、一方のＭＴフェルールの二つのガイドピン孔７５１ａ、７５１ａにガイドピン４７ａ、４７ｂを挿入し、シート状粘着性接続部材２１を、そのＭＴフェルールの端面７５３に載置した（図３９（ｂ））。次に、そのＭＴフェルール７５ａと他方のＭＴフェルール７５ｂとをガイドピン４７ａ、４７ｂを介して接続し、本発明の光学接続構造を形成した（図３８（ｂ）、図３９（ｃ））。
【０１０９】
上記したように、本発明の光学接続構造は、一枚のシート状粘着性接続部材を用いて複数本のホーリーファイバを一括で接続することが可能であり、いずれのホーリーファイバに対しても良好な光学接続を行うことができる。
【０１１０】
なお、本発明の光学接続構造は、通常のコネクタ接続に用いられているホーリーファイバの端面を研磨したフェルールについても適用することが可能である。すなわち、図４１で説明すれば、ＭＴフェルール端面７５３及び各ホーリーファイバの端面を研磨したものを用いて接続を行っても、良好な光学特性を得ることができ、特別な設計や加工を施すことなく、既知のフェルールをそのまま利用することができる。
【実施例６】
【０１１１】
図４０は、本発明をＭＰＯ型光コネクタに適用した場合の光学接続構造の構成要素を示す斜視図である。また、図４１は、図４０のＭＰＯ型光コネクタにおける接続状態を説明する図であって、図４１（ａ）は接続前の状態、図４１（ｂ）は接続後の状態を示す平面図である。なお本発明は、以下に示すＭＰＯ型光コネクタ以外にも既存の多心コネクタであるＭＴ−ＲＪ、ＭＰＸ、Ｍｉｎｉ−ＭＴ、Ｍｉｎｉ−ＭＰＯ等のＭＴフェルールを含んだアダプタ及びコネクタプラグにも用いることが可能である。
【０１１２】
図４０および図４１において、ＭＰＯ型光コネクタは、シート状粘着性接続部材２１、ホーリーファイバテープ心線１５ａ、１５ｂ、ホーリーファイバを整列して把持するＭＴフェルール７５ａ、７５ｂ、およびプッシュプル機構により着脱を行うハウジングからなるＭＰＯコネクタプラグ７１ａ、７１ｂと、一対のＭＰＯコネクタプラグを接続するための接続用アダプタ５０により構成されている。
【０１１３】
ホーリーファイバの接続は、先ず、シート状粘着性接続部材２１を、ＭＴフェルール７５ａの端面に載置し、ＭＰＯコネクタプラグ７１ａに固定されたＭＴフェルール７５ａの端面のガイドピン孔にガイドピン４７ａ、４７ｂを挿入する（図４１（ａ））。次いで、相対するＭＴフェルール７５ｂのガイドピン孔にガイドピンを挿入させることによりＭＴフェルール７５ｂと位置合わせを行いながら、前記ハウジングによりＭＰＯコネクタプラグ７１ａ、７１ｂと接続用アダプタ５０とを接続する（図４１（ｂ））。なお、ＭＴフェルール端面は研磨処理をしなくても構わない。光学接続の際には、アダプタ内部でＭＴフェルール端面同士が粘着性接続部材を介して密着し、光学接続構造が形成される。
【０１１４】
上記のように、本発明の光学接続構造においては、ＭＰＯコネクタプラグを用いた場合についても、研磨処理を行わずに低損失な接続が可能となる。また、ＭＰＯコネクタプラグは、プッシュプル形式であるので、着脱も簡単である。
【０１１５】
上記の場合、アダプタとして、前記図１９および図２０に示されるようにシート状粘着性接続部材が配置されたものを用いることもできる。
【実施例７】
【０１１６】
図４２（ａ）〜（ｄ）は本発明によるＭＴフェルールを使用した光学接続構造（光コネクタ）の場合で、支持部材を具備したシート状粘着性接続部材を使用した時の接続工程を示す説明図であり、図４３は、図４２に示す接続工程に用いるガイドピン支持部材の正面図である。図４２（ａ）及び図４３に示すように、二つのガイドピン４７ａ、４７ｂは、ガイドピン支持部材５７により把持されており、そして、シート状粘着性接続部材２１の両端が、各ガイドピンの中央近傍に設置され、それによってシート状粘着性接続部材２１が二つのガイドピン４７ａ、４７ｂによって支持されている。ガイドピン支持部材５７は、図４３に示すように二つのガイドピン挿入溝５７１ａ、５７１ｂを有しており、両側面からガイドピン挿入溝に連通するスリット状孔に突起平板９５ａ、９５ｂが摺動自在に挿入されている。ガイドピンをガイドピン挿入溝内に載置した後に突起平板を押すと、ガイドピン挿入溝内に突起平板が押し込まれ、その溝部を突起平板によって囲むことにより、ガイドピンが把持される。なお、ガイドピン支持部材５７は、内部に空洞５７２を有しているので、ガイドピンを載置すると、その空洞にシート状粘着性接続部材が位置するようになり、ガイドピン支持部材が接続部材に接触することはない。
【０１１７】
次いで、このガイドピン支持部材に把持されたガイドピンの両端を、ホーリーファイバ１０ａ、１０ｂを固定した一対のＭＴフェルール７５ａ、７５ｂのガイドピン挿入孔７５１ａ、７５１ｂに挿入し、ガイドピン支持部材５７に接触するまでＭＴフェルールを押し込む（図４２（ｂ））。これによりガイドピンにより相対するＭＴフェルール７５ａ、７５ｂが位置合わせされるので、ガイドピン支持部材の突起平板を放すことによってガイドピン支持部材をガイドピンから外し（図４２（ｃ））、相対するＭＴフェルールを突き合わせて接続する（図４２（ｄ））。上記のようにして、ガイドピンにシート状粘着性接続部材を支持させることにより、ガイドピンの挿入時にガイドピンの先端でシート状粘着性接続部材を傷つける恐れがなく、また、埃や塵の付着をも防止することが可能になる。
【実施例８】
【０１１８】
図４４（ａ）〜（ｃ）は、本発明を４心ＭＴフェルールに使用した光コネクタの構成要素及び接続工程を示す斜視図である。図４４（ａ）に示すように、支持部材３２は、ＭＴフェルールの外周とほぼ同一形状の枠状の空洞を有する筒状の部材であって、その一端の中央近傍に横幅が１．５ｍｍのシート状粘着性接続部材２１が載置されている。また、他端は解放端となっていて、筒状部材の内部が空洞になっており，ホーリーファイバを固定したＭＴフェルール７５ａをその空洞に嵌め込むことによって、ＭＴフェルール７５ａの端面にシート状粘着性接続部材２１が載置される（図４４（ｂ））。そして、フェルールに嵌め込んだ支持部材をフェルール側面に固定した状態で、相対するＭＴフェルール７５ｂと突き合わせて、コネクタの光学接続構造を形成する（図４４（ｃ））。このように、支持部材をフェルールに嵌め込むことによって、容易に接続部材をＭＴフェルールに装着することができ、また接続終了後には支持部材をＭＴフェルールから外すだけでよいので、簡単に脱離することができる。
【実施例９】
【０１１９】
前記図２４に示す光学接続構造を作製するために、断面が一辺０．３ｍｍの正三角形のＶ字形の整列溝４２１を有する整列部材４２（サイズ５ｍｍ×１２ｍｍ×３ｍｍ）、板状の上板２枚８１ａ、８１ｂ（サイズ５ｍｍ×５ｍｍ×３ｍｍ）、先端を被覆除去し、カットしたホーリーファイバ心線（径０．２５ｍｍ）１０ａ，１０ｂ、支持部材３４に保持された粘着性接続部材２５を用意した。支持部材３４は、径０．１ｍｍ長さ３ｍｍの円柱形状ピンを用い、また粘着性接続部材２５は屈折率１．４６に調整したウレタンエラストマー系樹脂を用い、ピン外周に膜厚が０．１ｍｍ〜０．４ｍｍ程度になるように接続部材を塗布して付着させた。
【０１２０】
上記各部材を用いて光学接続構造を作製するには、まず、整列溝４２１にホーリーファイバ１０ａ、１０ｂを載置し、一方のホーリーファイバ１０ａをホーリーファイバ１０ｂより２ｍｍ程度離れた位置に載置した。次に、ホーリーファイバ１０ａ、１０ｂ端面に挟まれた整列部材４２の整列溝４２１の上部のほぼ中央に支持部材３４を載置した。このとき、図示しないが、支持部材３４が容易に浮き上がらないように、上からばねにより支持部材３４を軽く押さえた。
【０１２１】
その後、ホーリーファイバ１０ａ、１０ｂを内側に移動させ、粘着性接続部材２５と接触させ、さらに移動させることでホーリーファイバ１０ａ、１０ｂの端面同士を光学接続した。このとき、ホーリーファイバ１０ａ、１０ｂを押し込むことによって、光軸上の支持部材３４に支持された粘着性接続部材２５がホーリーファイバ１０ａ、１０ｂの端面に付着し、また、さらに押し込むことで、ホーリーファイバ１０ａ、１０ｂ同士が接続された。次いで板状の上板８１ａ、８１ｂを載置した（図２４（ａ）〜（ｅ）参照。）。
【０１２２】
本発明の光伝送媒体の接続方法によれば、粘着性接続部材２５を備えた支持部材３４をＶ字状の整列溝上に載置することにより、ホーリーファイバ１０ａ，１０ｂ端面に必要量の粘着性接続部材を供給することができた。また得られた光学接続構造は上方から粘着性接続部材２５を載置することによって形成されるので、基板上での作業時に塗布するなどの煩雑な作業を行うことなく接続することができた。さらに粘着性接続部材２５は必要量のみ整列溝４２１内に供給されるため、周囲の汚染が起きることもなく、粘着性接続部材起因の軸ずれによる光損失も起きなかった。その上、粘着性接続部材２５を外す際には、支持部材３４を取り外すだけでよく、作業効率が向上した。なお、このときの接続損失は０．３ｄＢ 以下であり、光学特性も問題が無かった。
【実施例１０】
【０１２３】
図４５に示す光学接続構造を作製するために、実施例９で使用した整列部材４２として、整列溝４２１に対して交差する、一片が０．１ｍｍの正三角形の溝４２２を有するものを用い、また、押え部材８１として、整列部材４２の溝４２２の対応する位置に、一片が０．２ｍｍの正三角形の溝を有したものを一枚用いた以外は、実施例９と同様の部材を用いて光学接続を行った。
【０１２４】
上記各部材を用いて光学接続構造を作製するには、まず、図４５（ａ）、（ｂ）に示すように、実施例９と同様に整列溝４２１にホーリーファイバ１０ａ、１０ｂを載置し、次に整列部材４２の溝４２２に支持部材３４を載置した。そして、図４５（ｃ）に示すように、上方から押え部材８１を支持部材３４が溝に収まるように載せてホーリーファイバ１０ａ、１０ｂが浮き上がらないようにした。
【０１２５】
その後、図４５（ｄ）に示すように、ホーリーファイバ１０ａ、１０ｂを移動させ、粘着性接続部材２５と接触させた。そして、ホーリーファイバ１０ａ、１０ｂを押し込むことによって、光軸上の支持部材３４に支持された粘着性接続部材２５がホーリーファイバ１０ａ、１０ｂ端面に付着し、また、図４５（ｅ）に示すように、さらに押し込んで、ホーリーファイバ１０ａ、１０ｂ同士を粘着性接続部材２５を介して光学接続した。同時に支持部材３４は上方に移動し、ホーリーファイバ１０ａ、１０ｂの接続を邪魔することがなく、またホーリーファイバ１０ａ、１０ｂの端面を傷つけることもなかった。
【０１２６】
この実施例の光伝送媒体の接続構造によれば、整列部材４２に整列溝４２１に交差する溝４２２を設けたことにより、容易に支持部材３４を載置することができ、簡単に位置合わせすることができた。その上、粘着性接続部材２５を外す際には、支持部材３４を取り外すだけでよく、作業効率が向上した。なお、１００回の繰り返し接続を行ったが、ホーリーファイバ１０ａ、１０ｂは傷つくことはなかった。なお、このときの接続損失は０．２ｄＢ以下であり、光学特性も問題が無かった。
【実施例１１】
【０１２７】
図２７に示す光学接続構造を作製するために、二つの円筒形の突起部（長さ３ｍｍ、直径０．１５ｍｍ）を有するＵ字形状の支持部材（幅２ｍｍ）に保持された接続部材（長さ３ｍｍ）を用意した。整列部材には整列溝の両側に二つの孔４２３ａ、４２３ｂ（直径０．１５ｍｍ、深さ３ｍｍ）を有し、この孔に支持部材３４の突起部３４１ａ、３４１ｂを挿入できるようにした。支持部材３４の材質はステンレス鋼を用いた。これに粘着性接続部材２５を支持部材３４の外周部下部に刷毛で塗布して付着させた。
【０１２８】
上記各部材を用いて光学接続構造を作製するには、まず、整列溝４２１上の支持部材３４の両側に端面が向き合うようにしてホーリーファイバ１０ａ、１０ｂを載置したあと、整列部材４２の二つの孔４２３ａ、４２３ｂに粘着性接続部材２５を備えた支持部材３４の突起部３４１ａ、３４１ｂを挿入し、支持部材３４を整列部材４２の整列溝４２１上に整列溝に対して交差するように載置した。次に、図示しない上板をそれぞれのホーリー１０ａ、１０ｂ上に載せて各ホーリーファイバを押さえた。
【０１２９】
その後、ホーリーファイバ１０ａ、１０ｂを内側に移動させ、各ホーリーファイバの先端を粘着性接続部材２５に接触させ、さらに移動させることにより、ホーリーファイバ１０ａ、１０ｂの端面同士を光学接続し、本発明の光学接続構造を形成した（図２７参照）。
【０１３０】
この実施例の光学接続方法によれば、支持部材３４の突起部３４１ａ、３４１ｂを整列部材４２に設けた孔４２３ａ、４２３ｂに挿入するだけで、簡単に整列部材４２と支持部材３４とを位置合わせして装着することができた。なお、このときの接続損失は０．２ｄＢ以下であり、光学特性も問題が無かった。
【図面の簡単な説明】
【０１３１】
【図１】本発明の光学接続構造の基本的な例を示す平面図である。
【図２】本発明の光学接続構造の一例を示す平面図である。
【図３】本発明の光学接続構造の他の一例を示す平面図である。
【図４】本発明の光学接続構造におけるホーリーファイバとシート状粘着性接続部材の貼着部分をホーリーファイバの軸に対して垂直の方向からみた平面図である。
【図５】図５（ａ）〜（ｅ）は、種々の形状のシート状粘着性接続部材をホーリーファイバの端面に貼着した状態を示す、ホーリーファイバの軸方向から見た平面図である。
【図６】本発明の光学接続構造に用いる粘着性接続部材の周縁部が種々の支持部材によって支持された状態を示す斜視図または平面図である。
【図７】接続用整列部材を用いた本発明の光学接続構造の一例を示す側断面図である。
【図８】ホーリーファイバと光学部品とを接続した本発明の光学接続構造の一例を示す平面図である。
【図９】シート状粘着性接続部材を用いて作製された本発明の光学接続構造の基本的な他の一例を示す平面図である。
【図１０】図９の光学接続構造を形成するための本発明の光伝送媒体の端面処理方法の一例の工程図である。
【図１１】図９の光学接続構造を形成するための本発明の光伝送媒体の端面処理方法の他の一例の工程図である。
【図１２】本発明の光学接続構造を作製する好ましい一例を説明する工程図である。
【図１３】本発明の光学接続構造を作製するための、光伝送媒体の端面処理方法の一例の工程図である。
【図１４】本発明の光学接続構造を作製するための、光伝送媒体の端面処理方法の一例の工程図である。
【図１５】図１４のＡ−Ａ線断面図である。
【図１６】本発明の光学接続構造を示す一部破壊側面図である。
【図１７】本発明の光学接続構造を形成するための、光学接続方法の一例の工程図である。
【図１８】ホーリーファイバを接続したＭＴフェルールを備えたＭＰＯコネクタプラグの側面図である。
【図１９】ＭＰＯ型光コネクタ用のアダプタの一例の斜視図である。
【図２０】ＭＰＯ型光コネクタ用のアダプタの他の一例の斜視図である。
【図２１】ＦＣ型光コネクタに適用するアダプタの模式的断面図である。
【図２２】図２２（ａ）は、シート状粘着性接続部材が支持された支持部材の平面図、図２２（ｂ）は、図２２（ａ）の支持部材を割スリーブ内に装着する状態を説明する斜視図である。
【図２３】図２２（ｂ）の割スリーブを用いてフェールを突き合わせた場合を説明する断面図である。
【図２４】本発明の光学接続構造を形成する一例の工程図である。
【図２５】本発明の光学接続構造を構成する構成要素であって、整列部材の他の一例を示す図である。
【図２６】自由に変形する粘着性接続部材を支持するための支持部材の正面図である。
【図２７】本発明の光学接続構造を構成する構成要素の斜視図である。
【図２８】支持部材に自由に変形する粘着性接続部材が支持された状態を説明する断面図である。
【図２９】本発明の光学接続構造を形成する一例の工程図である。
【図３０】粘着保持距離の測定方法を説明するための説明図である。
【図３１】図３０（ａ）の斜視図である。
【図３２】図３０の一部の拡大図である。
【図３３】実施例１の光学接続構造を形成する工程図である。
【図３４】実施例２の端面処理を説明する工程図である。
【図３５】実施例２に用いた接続用整列部材を説明する図であって、（ａ）は側面図、（ｂ）はＢ−Ｂ線断面図である。
【図３６】実施例３の光学接続構造を形成する工程図である。
【図３７】実施例４の光学接続構造を形成する工程図である。
【図３８】図３８（ａ）は光コネクタの構成要素を示す図、図３８（ｂ）は接続した状態を示す図である。
【図３９】実施例５の光学接続構造を形成する工程図である。
【図４０】実施例６の光学接続構造の構成要素を示す斜視図である。
【図４１】実施例６の光学接続構造を説明する図である。
【図４２】実施例７の光学接続構造を形成する工程図である。
【図４３】図４２の光学接続構造に用いるガイドピン支持部材の正面図である。
【図４４】実施例８の光学接続構造を形成する工程図である。
【図４５】実施例１０の光学接続構造を形成する工程図である。
【符号の説明】
【０１３２】
１０（ａ，ｂ）…ホーリーファイバ、１１…ホーリーファイバ（コア）の中心、１５（ａ，ｂ）…ホーリーファイバテープ心線、１７…ロッドレンズ、１９…光学レンズ、２０…粘着性接続部材、２１…シート状粘着性接続部材、２５…粘着性接続部材、３１，３２，３４…支持部材、４０，４１，４２，４３，４４，４５，４６…整列部材（接続用整列部材）、４７（ａ，ｂ）…ガイドピン、４９…割りスリーブ、５０…アダプタ、５１…ＭＰＯアダプタ、６１，６２…端面処理用部材、７１（ａ，ｂ）…ＭＰＯコネクタプラグ、７２…ＦＣコネクタプラグ、７５（ａ，ｂ）…ＭＴフェルール、７６…ＦＣコネクタフェルール、８０…基板（ガラス基板）。
【図１】
2006221031.tif 000003
【図２】
2006221031.tif 000004
【図３】
2006221031.tif 000005
【図４】
2006221031.tif 000006
【図５】
2006221031.tif 000007
【図６】
2006221031.tif 000008
【図７】
2006221031.tif 000009
【図８】
2006221031.tif 000010
【図９】
2006221031.tif 000011
【図１０】
2006221031.tif 000012
【図１１】
2006221031.tif 000013
【図１２】
2006221031.tif 000014
【図１３】
2006221031.tif 000015
【図１４】
2006221031.tif 000016
【図１５】
2006221031.tif 000017
【図１６】
2006221031.tif 000018
【図１７】
2006221031.tif 000019
【図１８】
2006221031.tif 000020
【図１９】
2006221031.tif 000021
【図２０】
2006221031.tif 000022
【図２１】
2006221031.tif 000023
【図２２】
2006221031.tif 000024
【図２３】
2006221031.tif 000025
【図２４】
2006221031.tif 000026
【図２５】
2006221031.tif 000027
【図２６】
2006221031.tif 000028
【図２７】
2006221031.tif 000029
【図２８】
2006221031.tif 000030
【図２９】
2006221031.tif 000031
【図３０】
2006221031.tif 000032
【図３１】
2006221031.tif 000033
【図３２】
2006221031.tif 000034
【図３３】
2006221031.tif 000035
【図３４】
2006221031.tif 000036
【図３５】
2006221031.tif 000037
【図３６】
2006221031.tif 000038
【図３７】
2006221031.tif 000039
【図３８】
2006221031.tif 000040
【図３９】
2006221031.tif 000041
【図４０】
2006221031.tif 000042
【図４１】
2006221031.tif 000043
【図４２】
2006221031.tif 000044
【図４３】
2006221031.tif 000045
【図４４】
2006221031.tif 000046
【図４５】
2006221031.tif 000047